(57)【要約】  エクササイズマシンであって、支持フレーム、支持フレームに摺動可能に接続されたウエイトスタック、エクササイズケーブルおよび少なくとも二つの可動プーリーブロックを含むウエイト配分比率装置、支持フレーム、ウエイトスタック、およびウエイト配分比率プーリー装置の可動プーリーブロックの一つと係合するウエイトスタックプーリー装置であって、ウエイトスタックプーリー装置は、ウエイトスタックケーブルを含み、ウエイトスタックケーブルがウエイト配分比率プーリー装置の可動プーリーブロックの一つと動作接続状態にあるウエイトスタックケーブル、および一つの可動プーリーブロックのみが移動可能であるロック位置と二つの可動プーリーブロックが移動可能であるロック解除位置との間で移動可能なロック機構を含むエクササイズマシン。
2019533553.tif 000002
【特許請求の範囲】
【請求項１】
エクササイズマシンであって、
支持フレーム、
前記支持フレームに摺動可能に接続されたウエイトスタック、
前記支持フレーム、前記ウエイトスタック、および前記支持フレームから延在するアタッチメントと係合するウエイト配分比率プーリー装置であって、
第一の端部と第二の端部とを有するエクササイズケーブルであって、前記第一の端部が前記アタッチメントに接続され、かつ、前記第二の端部が前記支持フレームの一部に接続されるエクササイズケーブル、および、
少なくとも二つの可動プーリーブロックであって、各可動プーリーブロックが少なくとも一つのプーリーを含み少なくとも二つの可動プーリーブロック、を備えるウエイト配分比率装置、
前記支持フレーム、前記ウエイトスタック、および前記ウエイト配分比率プーリー装置の前記可動プーリーブロックの一つと係合するウエイトスタックプーリー装置であって、第一の端部と第二の端部とを有するウエイトスタックケーブルであって、第一の端部が前記ウエイトスタックに接続され、かつ、第二の端部が前記支持フレームに接続され、当該ウエイトスタックケーブルは、前記ウエイト配分比率プーリー装置の前記可動プーリーブロックの一つと動作接続されているウエイトスタックケーブル、を備えるウエイトスタックプーリー装置、ならびに、
一つの可動プーリーブロックのみが移動可能であるロック位置と前記二つの可動プーリーブロックが移動可能であるロック解除位置との間で可動なロック機構、を備えるエクササイズマシン。
【請求項２】
前記少なくとも二つの可動プーリーブロックのうちの第一の可動プーリーブロックが、前記エクササイズケーブルおよび前記ウエイトスタックケーブルに動作接続されており、
前記少なくとも二つの可動プーリーブロックのうちの第二の可動プーリーブロックが、前記エクササイズケーブルのみに動作接続されており、かつ、
前記第二の可動プーリーブロックが、前記ロック機構が前記ロック位置に設けられるときに、移動することが防止される請求項１に記載のエクササイズマシン。
【請求項３】
前記少なくとも二つの可動プーリーブロックのうちの第一の可動プーリーブロックが二つのプーリーを備え、かつ、
前記少なくとも二つの可動プーリーブロックのうちの第二の可動プーリーブロックが一つのプーリーを備える請求項１に記載のエクササイズマシン。
【請求項４】
前記ロック機構が、
ラッチレバー、および、
前記ラッチレバーをロック位置に配置するために前記ラッチレバーに挿入可能なハンドル、を備える請求項１に記載のエクササイズマシン。
【請求項５】
前記ラッチレバーは、前記ラッチレバーが前記少なくとも二つの可動プーリーブロックのうちの一つの可動プーリーブロックから係合解除されるロック解除位置と、前記ラッチレバーが前記少なくとも二つの可動プーリーブロックのうちの一つの可動プーリーブロックと係合するロック位置と、の間で回転可能である請求項４に記載のエクササイズマシン。
【請求項６】
前記アタッチメントに隣接して前記支持フレームに配置される少なくとも一つのプーリーをさらに備え、前記少なくとも一つのプーリーが、前記エクササイズケーブルを下方向に向ける請求項１に記載のエクササイズマシン。
【請求項７】
前記少なくとも一つのプーリーが前記支持フレーム上で垂直方向に移動可能である請求項６に記載のエクササイズマシン。
【請求項８】
前記支持フレームに取り付けられた少なくとも一つのガイドロッドをさらに備え、前記少なくとも二つの可動プーリーブロックは、前記少なくとも一つのガイドロッドに沿って垂直方向に移動するように構成される請求項１に記載のエクササイズマシン。
【請求項９】
前記少なくとも二つの可動プーリーブロックが互いに接触することを防止するために前記少なくとも二つの可動プーリーブロック間に配置されているストップ部材をさらに備える請求項１に記載のエクササイズマシン。
【請求項１０】
エクササイズマシン用のケーブルおよびプーリー装置であって、支持フレーム、ウエイトスタック、および前記支持フレームから延在するアタッチメントに係合するウエイト配分比率プーリー装置であって、
第一の端部と第二の端部とを有するエクササイズケーブルであって、第一の端部が前記アタッチメントに接続され、かつ、第二の端部が前記支持フレームの一部に接続されるエクササイズケーブル、および、少なくとも二つの可動プーリーブロックであって、各可動プーリーブロックが、少なくとも一つのプーリーを含む少なくとも二つの可動プーリーブロック、を備えるウエイト配分比率装置、
前記支持フレーム、前記ウエイトスタック、および前記ウエイト配分比率プーリー装置の前記可動プーリーブロックの一つと係合するウエイトスタックプーリー装置であって、第一の端部と第二の端部とを有するウエイトスタックケーブルであって、第一の端部が前記ウエイトスタックに接続され、かつ、第二の端部が前記支持フレームに接続されるウエイトスタックケーブル、を含み、当該ウエイトスタックケーブルは、前記ウエイト配分比率プーリー装置の前記可動プーリーブロックの一つと動作接続されているウエイトスタックケーブル、を備える前記ウエイトスタックプーリー装置、ならびに、
一つの可動プーリーブロックのみが移動可能であるロック位置と前記二つの可動プーリーブロックが移動可能であるロック解除位置との間で移動可能なロック機構、を備えるエクササイズマシン用のケーブルおよびプーリー装置。
【請求項１１】
前記少なくとも二つの可動プーリーブロックのうちの第一の可動プーリーブロックは、前記エクササイズケーブルおよび前記ウエイトスタックケーブルに動作接続されており、
前記少なくとも二つの可動プーリーブロックのうちの第二の可動プーリーブロックは、前記エクササイズケーブルのみに動作接続されており、かつ、
前記第二の可動プーリーブロックは、前記ロック機構が前記ロック位置に設けられるときに、移動することが防止される請求項１０に記載のエクササイズマシン用のケーブルおよびプーリー装置。
【請求項１２】
前記少なくとも二つの可動プーリーブロックのうちの第一の可動プーリーブロックが二つのプーリーを備え、かつ、
前記少なくとも二つの可動プーリーブロックのうちの第二の可動プーリーブロックが一つのプーリーを備える請求項１０に記載のエクササイズマシン用のケーブルおよびプーリー装置。
【請求項１３】
前記ロック機構が、
ラッチレバー、および、
前記ラッチレバーをロック位置に配置するために前記ラッチレバーに挿入可能なハンドル、を備える請求項１０に記載のエクササイズマシン用のケーブルおよびプーリー装置。
【請求項１４】
前記ラッチレバーは、前記ラッチレバーが前記少なくとも二つの可動プーリーブロックのうちの一つの可動プーリーブロックから係合解除されるロック解除位置と、前記ラッチレバーが前記少なくとも二つの可動プーリーブロックのうちの一つの可動プーリーブロックと係合するロック位置と、の間で回転可能である請求項１３に記載のエクササイズマシン用のケーブルおよびプーリー装置。
【請求項１５】
支持フレームに取り付けられた少なくとも一つのガイドロッドをさらに備え、前記少なくとも二つの可動プーリーブロックが、前記少なくとも一つのガイドロッドに沿って垂直方向に移動するように構成される請求項１０に記載のエクササイズマシン用のケーブルおよびプーリー装置。
【請求項１６】
前記少なくとも二つの可動プーリーブロックが互いに接触することを防止するために前記少なくとも二つの可動プーリーブロック間に配置されるストップ部材をさらに備える請求項１０に記載のエクササイズマシン用のケーブルおよびプーリー装置。
【請求項１７】
エクササイズマシンを操作する方法であって、
（ａ）前記エクササイズマシンの支持フレーム上のロック機構をロック解除位置またはロック位置のいずれかに設定するステップ、
（ｂ）前記エクササイズマシンの支持フレームに対してエクササイズケーブルを引っ張るステップ、および、
（ｃ）前記ロック機構が前記ロック解除位置にある状態で前記エクササイズケーブルを引っ張ると、少なくとも二つの可動プーリーブロックを引っ張り、前記少なくとも二つの可動プーリーブロックが、次に、ウエイトスタックケーブルを介して前記可動プーリーブロックの一つに動作上に接続されウエイトスタックを引っ張るステップ、または、
（ｄ）前記ロック機構が前記ロック位置にある状態で前記エクササイズケーブルを引っ張ると、一つの可動プーリーブロックを引っ張り、前記一つの前記可動プーリーブロックが、次に、前記可動プーリーブロックに動作接続されたウエイトスタックを引っ張るステップ、を備えるエクササイズマシンを操作する方法。
【請求項１８】
前記少なくとも二つの可動プーリーブロックのうちの第一の可動プーリーブロックは、前記エクササイズケーブルおよび前記ウエイトスタックケーブルに動作接続されており、
少なくとも二つの可動プーリーブロックのうちの第二の可動プーリーブロックは、前記エクササイズケーブルのみに動作接続されており、かつ、
前記第二の可動プーリーブロックは、前記ロック機構が前記ロック位置に設けられるときに、移動することが防止される請求項１７に記載のエクササイズマシンを操作する方法。
【請求項１９】
前記ロック機構は、前記ロック機構をロック解除するために前記ロック機構から引き放されるように構成されるハンドルを備える請求項１７に記載のエクササイズマシンを操作する方法。
【請求項２０】
前記少なくとも二つの可動プーリーブロックは、少なくとも一つのガイドレールに沿って移動するように構成される請求項１７に記載のエクササイズマシンを操作する方法。
【発明の詳細な説明】
【技術分野】
【０００１】
〔関連出願の相互参照〕
本願は、２０１６年１１月１４日出願の米国仮特許出願第６２／４２１６４３号の優先権を主張し、当該特許出願の開示は参照によってその全体が本願によって援用される。
【０００２】
本開示は、概してエクササイズマシンまたはウエイトマシンに関し、より具体的には、エクササイズマシンまたはウエイトマシンにおける従来のプーリー装置によって提供される機械的倍率をユーザが変化させることができるウエイト配分比率装置に関する。
【背景技術】
【０００３】
ユーザによるエクササイズ運動に対して抵抗を付与するためにウエイトスタックおよびプーリー装置を利用するマシンを含む体力トレーニングまたはコンディショニング用の様々なエクササイズマシンが開発されている。従来のエクササイズマシンは、フレーム、荷重またはフレームに取付けられた抵抗を付与するための何らかの種類の装置、および荷重に接続される複数のエクササイズステーション、を備えている。典型的には、荷重をエクササイズステーションに接続するためにプーリーおよびケーブルが使用される。プーリーおよびケーブルは、エクササイズステーションを使用するユーザに対して機械的倍率を付与する。付与された機械的倍率は、正、負、または中立である。
【０００４】
従来のケーブルおよびプーリー装置は、第一の端部で荷重またはウエイトスタックに接続され、かつ、第二の端部で第一のプーリーに接続される第一のケーブルを使用している。第二のケーブルは、第一の端部で第一のエクササイズステーションに接続されることができる。第二のケーブルの第二の端部は、第二のプーリーに係合し、次に、第一のプーリーに係合し、次に、最終的にフレームに固定される前に、第三のプーリーに係合する。このプーリー構成によって、ユーザは、荷重またはウエイトスタックの５０％の力によって、荷重またはウエイトスタックを持ち上げることができる。このプーリーおよびケーブル装置の機械的倍率は、２：１の比率である。プーリーの追加または削減によってユーザが受ける機械的倍率が変更される。
【０００５】
多くのエクササイズマシンは、従来のジムよりも小さな面積、たとえば、自宅やアパートで使用するように設計されている。このように面積が減るにつれて、エクササイズマシンのサイズを減少することによってスペースを確保することが増々重要になっている。エクササイズマシン用のこの面積を減らした装置は、互いに独立して操作可能な複数のケーブルおよびプーリー装置を設けることによって達成される。従来のケーブルおよびプーリー装置は、システムにおけるプーリーの数および位置によって事前に決定される一定の機械的倍率を組み込んでいる。
【０００６】
これらの従来のケーブルおよびプーリー装置を使用する場合、ユーザは、ウエイトスタックの各ウエイトの重量がいくらであるかによって決定される一定の増分で抵抗レベルを変化させることに制限されている。たとえば、ケーブルおよびプーリーシステムは２：１の比率が可能でありかつウエイトスタックの各ウエイト板が２０ポンド（約９．０７ｋｇ）の重量である場合、ユーザは、１０ポンド（約４．５４ｋｇ）ずつしか抵抗を変化できない。エクササイズする人が全１０ポンド（約４．５４ｋｇ）未満、たとえば、５ポンド（約２．２７ｋｇ）だけ抵抗を増加するためには、ユーザは追加ウエイトをスタックに追加しなければならず、当該追加ウエイトは、ウエイトスタックに取付けられるより小さなウエイトの形態である場合が多い。
【０００７】
複数のウエイト配分比率を可能にする他のエクササイズマシンが開発されている。特に、エクササイズマシンが、様々な機械的倍率を有する複数のエクササイザステーションを含むことを可能にする二つのフローティングプーリーを含むケーブルおよびプーリー装置が開発されている。しかしながら、このタイプの装置を使用するデバイスは、典型的には、ウエイト配分比率を変えるために異なるエクササイズステーションを使用することを必要とする。エクササイズステーションを変える必要があるために、ユーザが同じステーションでエクササイズをしながら様々なウエイト配分比率を選択することができない。ウエイト配分比率デバイスは、ケーブルの引っ張りおよびウエイト配分比率ともに影響を及ぼしうる。短い移動距離と重い荷重とを必要とするユーザエクササイズもあれば、他方、長い移動距離と軽い荷重とを必要とするエクササイズもある。したがって、同じエクササイズマシンに効果的な変換機構を持たせることによって、様々なユーザエクササイズを実行するために必要なエクササイズマシンの数を減少することができるだろう。
【発明の概要】
【発明が解決しようとする課題】
【０００８】
上記に鑑み、同じステーションでエクササイズしながらユーザに対して様々なウエイト配分比率を提供するエクササイズマシンが必要とされている。
【課題を解決するための手段】
【０００９】
本開示の一態様によれば、エクササイズマシンは、
支持フレーム、
支持フレームに摺動可能に接続されたウエイトスタック、
支持フレーム、ウエイトスタック、および支持フレームから延在するアタッチメントと係合するウエイト配分比率プーリー装置であって、
第一の端部と第二の端部とを有するエクササイズケーブルであって、第一の端部がアタッチメントに接続され、かつ、第二の端部が支持フレームの一部に接続されるエクササイズケーブル、および、
少なくとも二つの可動プーリーブロックであって、各可動プーリーブロックが少なくとも一つのプーリーを含み少なくとも二つの可動プーリーブロック、を備えるウエイト配分比率装置、
支持フレーム、ウエイトスタック、およびウエイト配分比率プーリー装置の可動プーリーブロックの一つと係合するウエイトスタックプーリー装置であって、第一の端部と第二の端部とを有するウエイトスタックケーブルであって、第一の端部がウエイトスタックに接続され、かつ、第二の端部が支持フレームに接続され、当該ウエイトスタックケーブルは、ウエイト配分比率プーリー装置の可動プーリーブロックの一つと動作接続されているウエイトスタックケーブル、を備えるウエイトスタックプーリー装置、ならびに、
一つの可動プーリーブロックのみが移動可能であるロック位置と二つの可動プーリーブロックが移動可能であるロック解除位置との間で可動なロック機構、を含む。
【００１０】
少なくとも二つの可動プーリーブロックのうちの第一の可動プーリーブロックは、エクササイズケーブルおよびウエイトスタックケーブルに動作接続されることができる。少なくとも二つの可動プーリーブロックのうちの第二の可動プーリーブロックは、エクササイズケーブルにのみ動作接続されることができる。第二の可動プーリーブロックは、ロック機構がロック位置に設けられるときに動くことを防止されることができる。少なくとも二つの可動プーリーブロックのうちの第一の可動プーリーブロックは、二つのプーリーを含むことができ、かつ少なくとも二つの可動プーリーブロックのうちの第二の可動プーリーブロックは、一つのプーリーを含むことができる。ロック機構が、ラッチレバーおよびラッチレバーをロック位置に配置するためにラッチレバーに挿入可能なハンドルを含むことができる。ラッチレバーは、当該ラッチレバーが少なくとも二つの可動プーリーブロックのうちの一つの可動プーリーブロックから係合解除されるロック解除位置と、ラッチレバーが少なくとも二つの可動プーリーブロックのうちの一つの可動プーリーブロックと係合するロック位置との間で回転可能であることができる。少なくとも一つのプーリーは、アタッチメントに隣接して支持フレームに配置されることができ、少なくとも一つのプーリーは、エクササイズケーブルを下方に向ける。少なくとも一つのプーリーが、支持フレーム上で垂直方向に移動可能であることができる。少なくとも一つのガイドロッドは、支持フレームに取付けられ、少なくとも二つの可動プーリーブロックは、少なくとも一つのガイドロッドに沿って垂直方向に移動するように構成される。少なくとも二つの可動プーリーブロックが互いに接触することを防止するために少なくとも二つの可動プーリーブロック同士間にストップ部材が配置されることができる。
【００１１】
本開示の他の態様では、エクササイズマシン用のケーブルおよびプーリー装置は、
支持フレーム、ウエイトスタック、および支持フレームから延在するアタッチメントに係合するウエイト配分比率プーリー装置であって、
第一の端部と第二の端部とを有するエクササイズケーブルであって、第一の端部がアタッチメントに接続され、かつ、第二の端部が支持フレームの一部に接続されるエクササイズケーブル、および、少なくとも二つの可動プーリーブロックであって、各可動プーリーブロックが、少なくとも一つのプーリーを含む少なくとも二つの可動プーリーブロック、を含むウエイト配分比率装置、
支持フレーム、ウエイトスタック、およびウエイト配分比率装置の可動プーリーブロックの一つと係合するウエイトスタックプーリー装置であって、第一の端部と第二の端部とを有するウエイトスタックケーブルであって、第一の端部がウエイトスタックに接続され、かつ、第二の端部が支持フレームに接続されるウエイトスタックケーブルを含み、当該ウエイトスタックケーブルは、ウエイト配分比率プーリー装置の可動プーリーブロックの一つと動作接続されているウエイトスタックケーブル、を備えるウエイトスタックプーリー装置、ならびに、
一つの可動プーリーブロックのみが移動可能であるロック位置と二つの可動プーリーブロックが移動可能であるロック解除位置との間で移動可能なロック機構、を含む。
【００１２】
本開示の他の態様では、少なくとも二つの可動プーリーブロックの第一の可動プーリーブロックは、エクササイズケーブルおよびウエイトスタックにケーブル動作接続される。少なくとも二つの可動プーリーブロックの第二の可動プーリーブロックは、エクササイズケーブルにのみ動作接続されることができる。第二の可動プーリーブロックは、ロック機構がロック位置に設けられるときに動くことが防止されることができる。少なくとも二つの可動プーリーブロックの第一の可動プーリーブロックは、二つのプーリーを含むことができ、かつ少なくとも二つの可動プーリーブロックの第二の可動プーリーブロックは、一つのプーリーを含むことができる。ロック機構は、ラッチレバーおよびラッチレバーをロック位置に位置するためにラッチレバー内に挿入可能なハンドルを含むことができる。ラッチレバーは、ラッチレバーが少なくとも二つの可動プーリーブロックのうちの一つの可動プーリーブロックから係合解除される係合解除位置とラッチレバーが少なくとも二つの可動プーリーブロックのうちの一つの可動プーリーブロックと係合するロック位置との間で回転可能であることができる。少なくとも一つのガイドロッドは、支持フレームに取り付けられることができ、少なくとも二つの可動プーリーブロックは、少なくとも一つのガイドロッドに沿って垂直方向に移動するように構成されることができる。ストップ部材は、少なくとも二つの可動プーリーブロックが互いに接触することを防止するために少なくとも二つの可動プーリーブロック同士に配置されることができる。
【００１３】
本開示の他の態様では、エクササイズマシンを操作する方法は、
（ａ）エクササイズマシンの支持フレーム上のロック機構をロック解除位置またはロック位置のいずれかに設定するステップ、
（ｂ）エクササイズマシンの支持フレームに対してエクササイズケーブルを引っ張るステップ、および、
（ｃ）ロック機構がロック解除位置にある状態でエクササイズケーブルを引っ張ると、少なくとも二つの可動プーリーブロックを引っ張り、少なくとも二つの可動プーリーブロックが、次に、可動プーリーブロックの一つに動作上に接続されウエイトスタックを引っ張るステップ、または、
（ｄ）ロック機構がロック位置にある状態でエクササイズケーブルを引っ張ると、一つの可動プーリーブロックを引っ張り、一つの可動プーリーブロックが、次に、可動プーリーブロックに動作接続されたウエイトスタックを引っ張るステップ、を含む。
【００１４】
本開示の他の態様では、少なくとも二つの可動プーリーブロックのうちの第一の可動プーリーブロックは、エクササイズケーブルおよびウエイトスタックケーブルに動作接続され、少なくとも二つの可動プーリーブロックのうちの第二の可動プーリーブロックは、エクササイズケーブルのみに動作接続され、第二の可動プーリーブロックは、ロック機構がロック位置に設けられるときに、移動することが防止されることができる。ロック機構は、ロック機構をロック解除するためにロック機構から引き離されるように構成されるハンドルを含むことができる。少なくとも二つの可動プーリーブロックは、少なくとも一つのガイドレールに沿って移動するように構成されることができる。
【００１５】
本発明は、以下の項でさらに定義される。
【００１６】
第１項：エクササイズマシンであって、
支持フレーム、
前記支持フレームに摺動可能に接続されたウエイトスタック、
前記支持フレーム、前記ウエイトスタック、および前記支持フレームから延在するアタッチメントと係合するウエイト配分比率プーリー装置であって、
第一の端部と第二の端部とを有するエクササイズケーブルであって、前記第一の端部が前記アタッチメントに接続され、かつ、前記第二の端部が前記支持フレームの一部に接続されるエクササイズケーブル、および、
少なくとも二つの可動プーリーブロックであって、各可動プーリーブロックが少なくとも一つのプーリーを含み少なくとも二つの可動プーリーブロック、を備えるウエイト配分比率装置、
前記支持フレーム、前記ウエイトスタック、および前記ウエイト配分比率プーリー装置の前記可動プーリーブロックの一つと係合するウエイトスタックプーリー装置であって、第一の端部と第二の端部とを有するウエイトスタックケーブルであって、第一の端部が前記ウエイトスタックに接続され、かつ、第二の端部が前記支持フレームに接続され、当該ウエイトスタックケーブルは、前記ウエイト配分比率装置の前記可動プーリーブロックの一つと動作接続されているウエイトスタックケーブル、を備えるウエイトスタックプーリー装置、ならびに、
一つの可動プーリーブロックのみが移動可能であるロック位置と前記二つの可動プーリーブロックが移動可能であるロック解除位置との間で可動なロック機構、を備えるエクササイズマシン。
【００１７】
第２項：前記少なくとも二つの可動プーリーブロックのうちの第一の可動プーリーブロックが、前記エクササイズケーブルおよび前記ウエイトスタックケーブルに動作接続されており、前記少なくとも二つの可動プーリーブロックのうちの第二の可動プーリーブロックが、前記エクササイズケーブルのみに動作接続されており、かつ、前記第二の可動プーリーブロックが、前記ロック機構が前記ロック位置に設けられるときに、移動することが防止される第１項に記載のエクササイズマシン。
【００１８】
第３項：前記少なくとも二つの可動プーリーブロックのうちの第一の可動プーリーブロックが二つのプーリーを備え、かつ、少なくとも二つの可動プーリーブロックのうちの第二の可動プーリーブロックが一つのプーリーを備える第１項または第２項に記載のエクササイズマシン。
【００１９】
第４項：前記ロック機構が、ラッチレバー、および、前記ラッチレバーをロック位置に配置するために前記ラッチレバーに挿入可能なハンドル、を備える第１項から第３項のいずれかにに記載のエクササイズマシン。
【００２０】
第５項：前記ラッチレバーは、前記ラッチレバーが前記少なくとも二つの可動プーリーブロックのうちの一つの可動プーリーブロックから係合解除されるロック解除位置と、前記ラッチレバーが前記少なくとも二つの可動プーリーブロックのうちの一つの可動プーリーブロックと係合するロック位置と、の間で回転可能である第４項に記載のエクササイズマシン。
【００２１】
第６項：前記アタッチメントに隣接して前記支持フレームに配置される少なくとも一つのプーリーをさらに備え、前記少なくとも一つのプーリーが、前記エクササイズケーブルを下方向に向ける第１項から第５項のいずれかに記載のエクササイズマシン。
【００２２】
第７項：前記少なくとも一つのプーリーが前記支持フレーム上で垂直方向に移動可能である第６項に記載のエクササイズマシン。
【００２３】
第８項：前記支持フレームに取り付けられた少なくとも一つのガイドロッドをさらに備え、前記少なくとも二つの可動プーリーブロックは、前記少なくとも一つのガイドロッドに沿って垂直方向に移動するように構成される第１項から第７項のいずれかに記載のエクササイズマシン。
【００２４】
第９項：前記少なくとも二つの可動プーリーブロックが互いに接触することを防止するために前記少なくとも二つの可動プーリーブロック間に配置されているストップ部材をさらに備える第１項から第８項のいずれかに記載のエクササイズマシン。
【００２５】
第１０項：エクササイズマシン用のケーブルおよびプーリー装置であって、
支持フレーム、ウエイトスタック、および前記支持フレームから延在するアタッチメントに係合するウエイト配分比率プーリー装置であって、
第一の端部と第二の端部とを有するエクササイズケーブルであって、第一の端部が前記アタッチメントに接続され、かつ、第二の端部が前記支持フレームの一部に接続されるエクササイズケーブル、および、少なくとも二つの可動プーリーブロックであって、各可動プーリーブロックが、少なくとも一つのプーリーを含む少なくとも二つの可動プーリーブロック、を備えるウエイト配分比率装置、
前記支持フレーム、前記ウエイトスタック、および前記ウエイト配分比率装置の前記可動プーリーブロックの一つと係合するウエイトスタックプーリー装置であって、第一の端部と第二の端部とを有するウエイトスタックケーブルであって、第一の端部が前記ウエイトスタックに接続され、かつ、第二の端部が前記支持フレームに接続されるウエイトスタックケーブル、を含み、前記ウエイトスタックケーブルは、前記ウエイト配分比率プーリー装置の可動プーリーブロックの一つと動作接続されているウエイトスタックケーブル、を備える前記ウエイトスタックプーリー装置、ならびに、
一つの可動プーリーブロックのみが移動可能であるロック位置と前記二つの可動プーリーブロックが移動可能であるロック解除位置との間で移動可能なロック機構、を備えるエクササイズマシン用のケーブルおよびプーリー装置。
【００２６】
第１１項：第１０項に記載のケーブルおよびプーリー装置において、前記少なくとも二つの可動プーリーブロックのうちの第一の可動プーリーブロックは、前記エクササイズケーブルおよび前記ウエイトスタックケーブルに動作接続され、前記少なくとも二つの可動プーリーブロックのうち第二の可動プーリーブロックは、前記エクササイズケーブルのみに動作接続され、前記第二の可動プーリーブロックは、前記ロック機構が前記ロック位置に設けられるときに、移動することを防止するエクササイズマシン用ケーブルおよびプーリー装置。
【００２７】
第１２項：前記少なくとも二つの可動プーリーブロックのうちの第一の可動プーリーブロックが二つのプーリーを備え、かつ、前記少なくとも二つの可動プーリーブロックのうちの第二の可動プーリーブロックが一つのプーリーを備える第１０項または第１１項のいずれかに記載のエクササイズマシン用のケーブルおよびプーリー装置。
【００２８】
第１３項：前記ロック機構が、ラッチレバー、および、前記ラッチレバーをロック位置に配置するために前記ラッチレバーに挿入可能なハンドル、を備える第１０項から第１２項のいずれかに記載のエクササイズマシン用のケーブルおよびプーリー装置。
【００２９】
第１４項：前記ラッチレバーは、前記ラッチレバーが前記少なくとも二つの可動プーリーブロックのうちの一つの可動プーリーブロックから係合解除されるロック解除位置と前記ラッチレバーが前記少なくとも二つの可動プーリーブロックのうちの一つの可動プーリーブロックと係合するロック位置との間で回転可能である第１３項に記載のエクササイズマシン用のケーブルおよびプーリー装置。
【００３０】
第１５項：支持フレームに取り付けられた少なくとも一つのガイドロッドをさらに備え、前記少なくとも二つの可動プーリーブロックが、前記少なくとも一つのガイドロッドに沿って垂直方向に移動するように構成される第１０項から第１４項のいずれかに記載のエクササイズマシン用のケーブルおよびプーリー装置。
【００３１】
第１６項：前記少なくとも二つの可動プーリーブロックが互いに接触することを防止するために前記少なくとも二つの可動プーリーブロック間に配置されるストップ部材をさらに備える第１０項から第１５項のいずれかに記載のエクササイズマシン用のケーブルおよびプーリー装置。
【００３２】
第１７項：エクササイズマシンを操作する方法であって、
（ａ）前記エクササイズマシンの支持フレーム上のロック機構をロック解除位置またはロック位置のいずれかに設定するステップ、
（ｂ）前記エクササイズマシンの支持フレームに対してエクササイズケーブルを引っ張るステップ、および、
（ｃ）前記ロック機構が前記ロック解除位置にある状態で前記エクササイズケーブルを引っ張ると、少なくとも二つの可動プーリーブロックを引っ張り、少なくとも二つの可動プーリーブロックが、次に、ウエイトスタックケーブルを介して前記可動プーリーブロックの一つに動作上に接続されウエイトスタックを引っ張るステップ、または、
（ｄ）前記ロック機構が前記ロック位置にある状態で前記エクササイズケーブルを引っ張ると、一つの可動プーリーブロックを引っ張り、一つの前記可動プーリーブロックが、次に、前記可動プーリーに動作接続されたウエイトスタックを引っ張るステップ、を備えるエクササイズマシンを操作する方法。
【００３３】
第１８項：前記少なくとも二つの可動プーリーブロックのうちの第一の可動プーリーブロックは、前記エクササイズケーブルおよび前記ウエイトスタックケーブルに動作接続されており、少なくとも二つの可動プーリーブロックのうちの第二の可動プーリーブロックは、前記エクササイズケーブルのみに動作接続されており、かつ、前記第二の可動プーリーブロックは、前記ロック機構が前記ロック位置に設けられるときに、移動することが防止される第１７項に記載のエクササイズマシンを操作する方法。
【００３４】
第１９項：前記ロック機構は、前記ロック機構をロック解除するために前記ロック機構から引き放されるように構成されるハンドルを備える第１７項または第１８項に記載のエクササイズマシンを操作する方法。
【００３５】
第２０項：前記少なくとも二つの可動プーリーブロックは、少なくとも一つのガイドレールに沿って移動するように構成される第１７項から第１９項のいずれかに記載のエクササイズマシンを操作する方法。
【００３６】
エクササイズマシンおよびウエイト配分比率装置の上記および他の機能および特徴は、添付の図面を参照して以下の説明および特許請求の範囲を考察することによってより明白になり、添付の図面は全て、本明細書に一部をなし、同様な参照番号は、様々な図面において対応する部分を指す。しかしながら、図面は、例示および説明それ自体を目的としているに過ぎず、本開示の制限事項を定義することは意図していないことが明白に理解することができる。本明細書および本特許請求の範囲において使用される場合、「一つ（a）」、「一つ（an）」、および「前記（the）」という単数形は、文脈上明らかに否定されない指示されない限り、複数の指示物を含む。
【図面の簡単な説明】
【００３７】
【図１】ハーフラックシステムに取り付けられる二つの高低プーリーコラムマシンに適用される比率デバイスを有するエクササイズマシンの正面斜視図。
【図２】図１のエクササイズマシンの側面図。
【図３】ユーザが傾斜位置で図１のエクササイズマシンを使用することを示す正面斜視図。
【図４】複数のユーザが異なるエクササイズ位置で図１のエクササイズマシンを使用することを示す正面斜視図。
【図５】図１のエクササイズマシンで使用されるウエイト配分比率装置の正面斜視図。
【図６】ウエイトスタックプーリー装置とともに図５に示されるウエイト配分比率装置の他の正面斜視図。
【図７】１：１のウエイト配分比率を有するラットバーに接続される図５のウエイト配分比率装置およびウエイトスタックプーリー装置の正面斜視図。
【図８】１：１のウエイト配分比率を有するラットバーに接続される図５のウエイト配分比率装置およびウエイトスタックプーリー装置の他の正面斜視図。
【図９】ラットレバーが無い図５に示されるウエイト配分比率装置およびウエイトスタックプーリー装置の正面斜視図。
【図１０】１：１の重量比を有するラットバーに接続される図５のウエイト配分比率装置およびウエイトスタックプーリー装置の側面図。
【図１１】１：１の重量比を有するラットバーに接続される図５のウエイト配分比率装置の正面斜視図。
【図１２】本開示の一態様に従うロック解除位置のプーリーブロックロック機構の斜視図。
【図１３】ロック位置の図１２のプーリーブロックロック機構の斜視図。
【図１４】図５のウエイト配分比率装置を示す側面図。
【図１５】２：１のウエイト配分比率構成における図５のウエイト配分比率装置の斜視図。
【図１６】２：１のウエイト配分比率構成における図５のウエイト配分比率装置の他の斜視図。
【図１７】４：１のウエイト配分比率構成における図５のウエイト配分比率装置の斜視図。
【図１８】４：１のウエイト配分比率構成における図５のウエイト配分比率装置の他の斜視図。
【図１９】ラットバーとともに使用するための１：１のウエイト配分比率構成における図５のウエイト配分比率装置の斜視図。
【図２０】ラットバーとともに使用するための１：１のウエイト配分比率構成における図５のウエイト配分比率装置の他の斜視図。
【図２１Ａ】２：１のウエイト配分比率設定における図５のウエイト配分比率装置およびウエイトスタックプーリー装置の概略図。
【図２１Ｂ】４：１のウエイト配分比率設定における図５のウエイト配分比率装置およびウエイトスタックプーリー装置の概略図。
【図２２】本開示の他の一態様にしたがう２：１のウエイト配分比率設定におけるウエイト配分比率装置の概略図。
【図２３】４：１のウエイト配分比率設定における図２２のウエイト配分比率装置の概略図。
【図２４】ウエイトスタックにおいて任意のプーリーを使用しないロック位置にある１：１のウエイト配分比率設定におけるウエイト配分比率装置の概略図。
【図２５】ウエイトスタックにおいて任意のプーリーを使用しないエクササイズハンドルに対して２：１のウエイト配分比率設定およびラットバーに対する１：１のウエイト配分比率設定における図２４のウエイト配分比率装置の概略図。
【図２６】本開示の他の一態様に従うエクササイズケーブルの別の経路を有するウエイト配分比率装置の概略図。
【発明を実施するための形態】
【００３８】
以降の本説明のために、用語「上の（upper）」、「下の（lower）」、「右の（right）」、「左の（left）」、「垂直な（vertical）」、「水平な（horizontal）」、「頂部の（top）」、「底部の（bottom）」、「側方の（lateral）」、「長手の（longitudinal）」、およびそれらの派生語は、各用語が図面上で配向されている場合の開示に関連する。しかしながら、本開示は、特段の定めがない限り、代替的な変更およびステップの順序を取ることができることを理解すべきである。添付の図面に例示され、かつ、以下の明細書に記載される特定のデバイスおよびプロセスは、本開示の単なる例示的態様であることも理解すべきである。したがって、本明細書で開示される態様に関連する特定の寸法および他の物理的特徴は、制限するものであると考えられるべきではない。
【００３９】
本開示は、一般的に、エクササイズマシンまたはウエイトマシン、より具体的には、ユーザがエクササイズマシンまたはウエイトマシンの従来のプーリー装置によって提供される機械的倍率を変化できるウエイト配分比率装置を対象としている。エクササイズマシンまたはウエイトマシンおよびウエイト配分比率装置のコンポーネントの特定の態様は、図１から図２６に例示されている。
【００４０】
図１から図４を参照すると、いくつかの異なるエクササイズステーションを含むエクササイズマシン１０（ウエイトマシンまたはウエイトリフティングマシンとも呼ばれる）が示されている。エクササイズマシン１０は、ウエイトスタック１４を含む、エクササイズマシン１０のいくつかの異なるコンポーネントを収納する支持フレーム１２を含んでいる。本開示の実施形態では支持フレームの一構成が図示されているが、支持フレームの他の構成も等しく本開示での使用に適することが理解されるべきである。一つのエクササイズステーションでは、ラットバー１６ａおよびエクササイズハンドル１８ａが、第一のユーザに対して異なるタイプのエクササイズを可能にするために設けられる。隣の第二のエクササイズステーションでは、他のラットバー１６ｂおよび他のエクササイズハンドル１８ｂが、第二のユーザに対して異なるタイプのエクササイズを可能にするために設けられる。ユーザ（一人または複数人）は、エクササイズをするためにウエイトスタックによって供給される荷重を引っ張るためにラットバー１６ａ、１６ｂおよびエクササイズハンドル１８ａ、１８ｂを引き寄せることができる。図３を参照すると、エクササイズバー２０が、エクササイズハンドル１８ａ、１８ｂの代わりに、エクササイズマシン１０のケーブルシステムと接続することができることも考えられる。ユーザは、エクササイズバー２０でエクササイズをするために支持フレーム１２に接続されたエクササイズベンチ２２に傾いた姿勢で座ることができる。図４を参照すると、エクササイズベンチ２２は、同時に二人のユーザがエクササイズマシン１０を使用できるように各エクササイズステーションに設けることができる。この構成では、第一のユーザがエクササイズするためにラットバー１６ａを使用でき、他方、第二のユーザがエクササイズするためにエクササイズハンドル１８ｂを使用できる。
【００４１】
図５および図２１Ａを参照して、エクササイズマシン１０で使用するためのウエイト配分比率装置３０を説明する。ウエイト配分比率装置３０は、以下でさらに詳細に記載されるように、エクササイズケーブル３２および複数のプーリーを含んでいる。エクササイズケーブル３２の第一の端部は、エクササイズハンドル１８ａに接続される。エクササイズケーブル３２の第二の反対側の端部は、エクササイズマシン１０の支持フレーム１２に設けられるプーリーブロック３４に接続される。ウエイト配分比率装置３０は、エクササイズハンドル１８ａまたはラットバー１６ａへのユーザの引っ張り力に抗して抵抗を与えるためにエクササイズマシン１０に設けられる。ウエイト配分比率装置３０からの抵抗は、ウエイトスタック１４とのウエイト配分比率装置３０の接続によって提供される。ウエイト配分比率装置３０によって、ユーザは、ウエイトスタック１４を持ち上げるためにユーザが必要とする力の量を調整するためにウエイトスタック１４によって提供されるウエイト配分比率を調整することができる。プーリーブロック３４は、異なるエクササイズを行なうために支持フレーム１２上で異なる位置に垂直に調整されることができる。
【００４２】
図５および図２１Ａを参照すると、エクササイズケーブル３２は、エクササイズハンドル１８ａからプーリー３６を含むプーリーブロック３４を通って延在する。エクササイズケーブル３２は、支持フレーム１２の底部に固定されたプーリー３８に向かって下方へプーリー３６を通って案内される。エクササイズケーブル３２をプーリーブロック３４から下方へ延ばすことによって、エクササイズケーブル３２は、エクササイズバー２０を保持するためにプーリーブロック３４の上方に配置されうるバー係止機構（図示せず）と干渉しない。また、エクササイズケーブル３２は、プーリーブロック３４からプーリーブロック４２に向かって上昇させることができることが考えられる。エクササイズケーブル３２は、他のプーリー４０を通り、次に、支持フレーム１２の上部に固定されたプーリーブロック４２に向かって上昇する。エクササイズケーブル３２は、プーリーブロック４２のプーリー４４上を通る。エクササイズケーブル３２は、次に、上部可動プーリーブロック４６に向けて下降する。エクササイズケーブル３２は、上部可動プーリーブロック４６内の上部プーリー４８を通り、プーリーブロック４２に保持された他のプーリー５０に向かって上昇する。プーリー５０を通ったあと、エクササイズケーブル３２は、再び下部可動プーリーブロック５２に向けて下降する。この構成において、エクササイズケーブル３２は、ロック位置において、プーリーブロック５２がマシンのウエイト配分比率に関係せず、ロック解除位置において、プーリーブロック５２がプーリーブロック４６とともに引っ張られ、エクササイズハンドル１８ａのケーブル引っ張り距離を増加し、同時にユーザがエクササイズハンドル１８ａを引き寄せながら感じる荷重を減少することによってウエイト配分比率を半分に削減するように、プーリーブロック５２と相互作用するケーブルである。エクササイズケーブル３２は、プーリー５４を通ってプーリーブロック４２に上昇する。エクササイズケーブル３２は、プーリーブロック４２に収納された二つのプーリー５６、５８の上を通り下降されてプーリーブロック３４に固定される。
【００４３】
図７、図１０、図１１、および図２１Ａを参照すると、ラットバーケーブル６０およびプーリーシステムのための装置が記載されている。ラットバーケーブル６０の一端はラットバー１６ａに接続され、ラットバーケーブル６０の反対側の第二の端部は支持フレーム１２の下部のフローティングプーリーブロック７０に固定される。ラットバー１６ａから、ラットバーケーブル６０は、支持フレーム１２の上部に設けられた第一のプーリー６２の上を通り、支持フレーム１２の反対側の端部に設けられた他のプーリー６４の上を通る。各プーリー６２、６４は、プーリーブロック６６、６８内に収納される。次に、ラットバーケーブル６０は、支持フレーム１２の底部に設けられたプーリーブロック７０につながるように下降する。
【００４４】
図７および図２１Ａを参照して、ウエイトスタックケーブル７２およびプーリーシステムのための装置を説明する。ウエイトスタックケーブル７２の一端は固定点７４で支持フレーム１２の上部フレーム部材に固定され、かつウエイトスタックケーブル７２の反対側の第二の端部は、固定点７６で支持フレーム１２の底部フレーム部材に固定される。固定点７４から、ウエイトスタックケーブル７２は、ウエイトスタック１４に固定されたプーリー７８まで下方に延在する。次に、ウエイトスタックケーブル７２は、プーリー７８を通って上昇し支持フレーム１２に保持された他のプーリー８０に至る。プーリー８０を通ったあと、ウエイトスタックケーブル７２は、支持フレーム１２の底部フレーム部材に保持されたプーリー８２に向かって下降する。ウエイトスタックケーブル７２は、プーリー８２を通って上昇し、上部可動プーリーブロック４６に至る。ウエイトスタックケーブル７２は、上部可動プーリーブロック４６に設けられた下部プーリー８４上を通る。したがって、ウエイトスタックケーブル７２は、プーリーブロック４６に設けられた下部プーリー８４と相互作用し、エクササイズケーブル３２は、プーリーブロック４６の上部プーリー４８と相互作用する。下部プーリー８４上を通ったあと、ウエイトスタックケーブル７２は下降し、支持フレーム１２の底部フレーム部材に固定された二つのプーリー８６、８８上に延在する。二つのプーリー８６、８８は、支持フレーム１２上で互いに離間されている。次に、ウエイトスタックケーブル７２は、フローティングプーリーブロック７０内のプーリー９０上を通り固定点７６に接続される。
【００４５】
ケーブルおよびプーリーシステムの代替的な装置が残りの図面で提供される。図６および図８を参照すると、ウエイトスタックケーブル７２プーリー装置の単一のプーリー８０は、追加のプーリー８１を備えてもよい。さらなるプーリー８１は、支持フレーム１２を横切ってウエイトスタックケーブル７２をプーリー８２に向かって下降させることを補助する。図９を参照して、ウエイトスタックケーブル７２のための代替的な装置が示されている。ウエイトスタックケーブル７２は、固定点７４からプーリー７８に延在することができる。次に、ウエイトスタックケーブル７２は、二つのプーリー８０、８１上を通り、次のプーリー８２に向かって下降する。次に、ウエイトスタックケーブル７２は、上部可動プーリーブロック４６の下部プーリー８４に向かって上昇する。次に、ウエイトスタックが次のプーリー８６に向かって下降する代わりに、ウエイトスタックケーブル７２は、下方に向かい、固定点９２で支持フレーム１２の底部フレーム部材に固定される。
【００４６】
図２２および図２３を参照して、エクササイズケーブル３２およびプーリーシステムのための他の構成が示されている。この構成において、プーリー４０は、支持フレーム１２の上部フレーム部材に移動されているために、エクササイズケーブル３２がプーリー３８に通されたあとに、エクササイズケーブル３２は、プーリー４０に向かって上昇する。次に、エクササイズケーブル４０は、支持フレーム１２を横切ってプーリー４４に向かう。加えて、次に、エクササイズケーブル３２は、上部可動プーリーブロック４６の上部プーリー４８の代わりに、下部可動プーリーブロック５２のプーリー５４に向かって下降する。エクササイズケーブル３２は、プーリー５０に向かって上昇する。次に、エクササイズケーブル３２は、上部可動プーリーブロック４６に向かって下降し、上部プーリー４８を通過する。エクササイズケーブル３２は、プーリー５６に向かって上昇しプーリー５８上を通る。最後に、エクササイズケーブル３２は、プーリーブロック３４に接続される。この装置を使用して、ウエイトスタック１４のウエイトは、ユーザがエクササイズハンドル１８ａを使用中でありかつ下部プーリーブロック５２がロック解除されているときは、１：４のウエイト配分比率に削減され、かつ下部プーリーブロック５２がロックされるときは、１：２のウエイト配分比率に削減される。エクササイズハンドル１８ａでの荷重は、下部プーリーブロック５２がロック位置にあるときに、１：１の比率になるであろう。ラットバー１６ａは、ラットバーケーブル６０が、あたかも支持フレーム１２の一部であるかのようにプーリーブロック５４を通過するので、常に、１：１の比率のままになるだろう。
【００４７】
図２４および図２５を参照して、ウエイトスタックケーブル７２およびプーリーシステムの構成が示されている。この構成では、ウエイトスタックプーリー７８が設けられていない。代わりに、ウエイトスタックケーブル７２の端部は、ウエイトスタック１４に直接に固定されている。この構成を使用すると、エクササイズハンドル１８ａの荷重に対するウエイトスタック１４の荷重は、下部プーリーブロック５２がロックされるときは（図２４を参照）、１：１のウエイト配分比率であり、ウエイト配分比率は、下部プーリーブロック５２がロック解除されるときは（図２５を参照）、２：１である。この構成では、ラットバー１６ａは、ウエイトスタック１４に直接に取付けられる。したがって、ラットバーケーブル６０は、ラットバー１６ａからプーリー６２、６４上を通ってプーリー８８まで下方に延在している。ラットバーケーブル６０は、プーリー８８および８６上を通り、上部可動プーリーブロック４６の下部プーリー８４に向かって上昇する。次に、ラットバーケーブル６０は、プーリー８２に向かって下降しプーリー８０に向かって上昇する。ラットバーケーブル６０は、プーリー８０上を通り、ウエイトスタック１４に直接固定される。ラットバーケーブル６０およびプーリーシステムのこの構成を使用すると、１：１のウエイト配分比率が、ラットバー１６ａを使用するユーザに対して提供される。この構成では、ラットバーケーブル６０が支持フレーム１２から引っ張り出させることのみ可能にし、かつ支持フレーム１２に落下しないように、ケーブルストップ９４がラットバー１６ａ近くの支持フレーム１２に設けられる。
【００４８】
図２６を参照して、エクササイズケーブル３２およびプーリーシステムの他の構成が示されている。この構成では、エクササイズケーブル３２は、下部可動プーリーブロック５２のプーリー５４の前に上部可動プーリーブロック４６の上部プーリー４８に向かう。したがって、エクササイズケーブル３２は、プーリー３６からプーリー３８に向かって下方に走行する。次に、エクササイズケーブル３２は、プーリー４０に向かって上昇し、横切ってプーリー４４に向かう。次に、図２２に示される構成とは異なり、エクササイズケーブル３２は、上部可動プーリーブロック４６の上部プーリー４８に向かって下降する。次に、エクササイズケーブル３２は、プーリー５０に向かって上昇し、下方へ下部可動プーリーブロック５２のプーリー５４に向かって下降する。次に、エクササイズケーブル３２は、プーリー５６に向かって上昇し、支持フレーム１２を横切ってプーリー５８へ向けられる。最後に、エクササイズケーブル３２は、プーリーブロック３４に接続される。
【００４９】
図１２および図１３を参照して、ウエイト配分比率装置３０用のプーリーブロックロック機構１００が示されている。プーリーブロックロック機構１００は、支持フレーム１２に固定され、下部可動プーリーブロック５２の移動を防止および許可するように構成される。プーリーブロックロック機構１００は、ロック位置とロック解除位置との間で回転可能であるラッチレバー１０２を含むことができる。ハンドル１０４は、ユーザがロック位置とロック解除位置との間でラッチレバー１０２を移動させるのを補助するように設けられる。ハンドル１０４は、ロック機構１００上のロック位置に留まるようにばね付勢されることができる。ハンドル１０４は、ユーザがロック機構１００を異なる位置に移動できるように引き出すことができる。解除されると、ハンドル１０４は、ロック機構１００に画定された孔１０５の所定の位置に跳ね返る。ロック機構１００のロック位置とロック機構１００のロック解除位置に対応して二つの孔１０５が設けられる。また、ロック位置とロック解除位置との間でラッチレバー１０２を移動するために任意の他の機構を使用することができると考えられる。ラッチレバー１０２は、下部可動プーリーブロック５２の一部に掛止するように構成される湾曲した内表面１０６を有する。図１２に示すように、ラッチレバー１０２が下部可動プーリーブロック５２から離れるように回転されると、下部可動プーリーブロック５２は、ユーザが支持フレーム１２からエクササイズハンドル１８ａを引っ張ると、垂直方向に移動可能であり、この点は以下でより詳細に説明する。図１３に示すように、ラッチレバー１０２は、内表面１０６が下部可動プーリーブロック５２の一部と接触するように下部可動プーリーブロック５２に向けて回転されると、下部可動プーリーブロック５２は、ユーザが支持フレーム１２からエクササイズハンドル１８ａを引っ張ると、垂直方向に移動することを防止し、この点は以下でより詳細に説明する。
【００５０】
図１４を参照して、エクササイズマシン１０の使用中に上部可動プーリーブロック４６および下部可動プーリーブロック５２を垂直方向にガイドするために一対のガイドロッド１１０、１１２を支持フレーム１２に設けることができる。ガイドロッド１１０、１１２は、概して円筒形状であり、支持フレーム１２の頂部フレーム部材から底部フレーム部材に延在している。ガイドロッド１１０、１１２は、支持フレーム１２と一体に形成されてもよいし、支持フレーム１２のフレーム部材へ取り外し可能に接続されてもよい。ガイドロッド１１０、１１２は、上部可動プーリーブロック４６および下部可動プーリーブロック５２に設けられたブッシング１１４を貫通する。ガイドロッド１１０、１１２は、エクササイズマシン１０の使用中に、可動プーリーブロック４６、５２が水平方向へ移動することを防止するために設けられ、可動プーリーブロック４６、５２がエクササイズケーブル３２またはウエイトスタックケーブル７２と接触することを防止するのに役立つ。エクササイズマシン１０の使用中に、可動プーリーブロック４６、５２同士が互いに接触することを防止するために可動プーリーブロック４６、５２との間に設けることができるストップ部材１１６も図１４に示されている。ストップ部材１１６は、下部可動プーリーブロック５２に対する上部可動プーリーブロック４６を緩衝するのを補助するゴムまたは任意の他の材料から制作されることができる。ストップ部材１１６は、上部可動プーリーブロック４６の底表面に固定されてもよいし、下部可動プーリーブロック５２の頂部表面に固定されてもよい。
【００５１】
図１５から図２０を参照して、ウエイト配分比率装置３０を使用するエクササイズマシン１０の操作を説明する。図１５および図１６に示すように、ロック機構１００がロック位置にある状態で、エクササイズマシン１０は、エクササイズハンドル１８ａに対して２：１のウエイト配分比率配置に設定される。この２：１のウエイト配分比率配置では、上部可動プーリーブロック４６およびウエイトスタック１４は、ユーザが支持フレーム１２からハンドル１８ａを引っ張る距離の半分だけ移動する。たとえば、ユーザが支持フレーム１２から１６インチ（約４０．６４ｃｍ）引っ張ったとすると、上部可動プーリーブロック４６およびウエイトスタック１４は、垂直に８インチ（約２０．３２ｃｍ）だけ移動されるだろう。図２１Ａを参照して、ユーザが支持フレーム１２からハンドル１８ａを引っ張ると、エクササイズケーブル３２は、上部可動プーリーブロック４６のプーリー４８を引き寄せる。次に、上部可動プーリーブロック４６は、エクササイズケーブル３２によって垂直上方へ引っ張られる。ロック機構１００がロック位置にあるので、下部可動プーリーブロック５２は、支持フレーム１２上に静止したままである。さらに、上部可動プーリーブロック４６が上方へ移動すると、上部可動プーリーブロック４６内に収納された下部プーリー８４は、ウエイトスタックケーブル７２を上方へ引っ張る。ウエイトスタックケーブル７２の垂直移動によって、ウエイトスタック１４上のプーリー７８は垂直方向に引っ張られ、エクササイズを行っているユーザに対して抵抗を提供する。図２４に示される構成の場合、ウエイトスタックケーブル３２は、ウエイトスタック１４を直接引っ張ることになるだろう。
【００５２】
図１７および図１８に示すように、ロック機構１００がロック解除位置にある状態で、エクササイズマシン１０は、エクササイズハンドル１８ａに対して４：１のウエイト配分比率配置に設定される。この４：１のウエイト配分比率配置では、上部可動プーリーブロック４６、下部可動プーリーブロック５２、およびウエイトスタック１４は、ユーザが支持フレーム１２からハンドル１８ａを引っ張る距離の四分の一移動する。たとえば、もしユーザが支持フレーム１２から３２インチ（約８１．２８ｃｍ）ハンドル１８ａ引っ張ったとすると、上部可動プーリーブロック４６、下部可動プーリーブロック５２、およびウエイトスタック１４は、垂直方向に８インチ（約２０．３２ｃｍ）だけ移動されることができるだろう。図２１Ｂを参照すると、ユーザが支持フレーム１２からハンドル１８ａを引っ張ると、エクササイズケーブル３２は、上部可動プーリーブロック４６のプーリー４８を引き寄せる。次に、上部可動プーリーブロック４６は、エクササイズケーブル３２によって垂直方向上方に引っ張られる。ロック機構１００は、ロック解除位置にあるので、エクササイズケーブル３２は、垂直方向に下部可動プーリーブロック５２も引っ張る。さらに、上方へ上部可動プーリーブロック４６を移動すると、上部可動プーリーブロック４６に収納された下部プーリー８４は、上方へウエイトスタックケーブル７２を引っ張る。ウエイトスタックケーブル７２が垂直に移動すると、ウエイトスタック１４上のプーリー７８は垂直方向に引っ張られて、エクササイズを行っているユーザに抵抗を提供する。図２４に示される構成では、ウエイトスタックケーブル３２は、ウエイトスタック１４を直接引っ張ることになるだろう。
【００５３】
図１９および図２０に示すように、１：１のウエイト配分比率配置がラットバー１６ａに対して提供される。この１：１のウエイト配分比率配置の場合、プーリーブロック７０およびウエイトスタック１４は、ユーザが支持フレーム１２からラットバー１６ａを引っ張るのと同じ距離移動する。たとえば、仮にユーザが支持フレーム１２からラットバー１６ａを１６インチ（約４０．６４ｃｍ）引っ張るとすると、プーリーブロック７０およびウエイトスタック１４は、垂直に１６インチ（約４０．６４ｃｍ）移動されるであろう。図２１Ａを参照すると、ラットバー１６ａがユーザによって支持フレーム１２から引っ張られると、ラットバーケーブル６０は、上方へプーリー９０を引っ張る。プーリー９０が上方へ引っ張られると、ウエイトスタックケーブル７２も上方へ引っ張られる。ウエイトスタックケーブル７２の垂直移動の場合、ウエイトスタックケーブル７２は、プーリー７８またはウエイトスタック１４を直接引っ張り（図２）、ラットバー１６ａを引き寄せているユーザに抵抗を提供する。
【００５４】
エクササイズマシン１０の様々な態様を上記説明において提供したが、当業者は、本発明の範囲および精神から逸脱することなく、これらの態様に対して変更および改変を行うことができる。たとえば、本開示は、可能な程度で、任意の態様の一つ以上の特徴が任意の他の態様の一つ以上の特徴と組み合わせることができることを意図していると理解すべきである。したがって、上記説明は、制限するのでなく例示することを意図している。上記の本発明は、特許請求の範囲によって画定され、特許請求の範囲の均等物の意味と範囲内に入る本発明に対する全ての変化は、それらの範囲内に包含されるべきである。
【図１】
2019533553.tif 000003
【図２】
2019533553.tif 000004
【図３】
2019533553.tif 000005
【図４】
2019533553.tif 000006
【図５】
2019533553.tif 000007
【図６】
2019533553.tif 000008
【図７】
2019533553.tif 000009
【図８】
2019533553.tif 000010
【図９】
2019533553.tif 000011
【図１０】
2019533553.tif 000012
【図１１】
2019533553.tif 000013
【図１２】
2019533553.tif 000014
【図１３】
2019533553.tif 000015
【図１４】
2019533553.tif 000016
【図１５】
2019533553.tif 000017
【図１６】
2019533553.tif 000018
【図１７】
2019533553.tif 000019
【図１８】
2019533553.tif 000020
【図１９】
2019533553.tif 000021
【図２０】
2019533553.tif 000022
【図２１Ａ】
2019533553.tif 000023
【図２１Ｂ】
2019533553.tif 000024
【図２２】
2019533553.tif 000025
【図２３】
2019533553.tif 000026
【図２４】
2019533553.tif 000027
【図２５】
2019533553.tif 000028
【図２６】
2019533553.tif 000029
【国際調査報告】
2019533553.tif 000030